(57)【要約】【課題】採血操作時の作業性の向上。【解決手段】長手状の持ち手部分（２）と、該持ち手部分（２）の長手方向の一端部に形成された採血針部分（３）とからなる採血用穿刺具（１）である。持ち手部分（２）の一つの面には、長手方向に非対称的な傾斜の山型形状断面を持つ複数の凹凸（１１）が形成され、この山型形状において採血針部分（３）とは反対側の斜面（１１ａ）が採血針部分（３）の側の斜面（１１ｂ）よりも急峻となっている。施術者が持ち手部分（２）を指先で持って採血針部分の方向に押す操作を行うとき、採血針部分とは反対側の急峻な斜面（１１ａ）に親指の腹が引掛かるので、針先が被施術者の皮膚に触れて採血するときの持ち手部分に対する指の掛かり具合がよく、滑りにくく、指先の力をコントロールし易くなり、操作性が向上する。採血針部分の側の斜面（１１ｂ）は相対的に緩い傾きとなるので、指にスムーズに若しくは柔らかくフィットし易い。【選択図】  図２
2020178856.tif 000002
【特許請求の範囲】
【請求項１】
長手状の持ち手部分と、該持ち手部分の長手方向の一端部に形成された採血針部分とからなる採血用穿刺具であって、
前記持ち手部分の一つの面には、長手方向に非対称的な傾斜の山型形状断面を持つ複数の凹凸が形成され、この山型形状において前記採血針部分とは反対側の斜面が前記採血針部分の側の斜面よりも急峻となっていることを特徴とする採血用穿刺具。
【請求項２】
前記山型形状における前記採血針部分とは反対側の斜面のなす角度は、前記長手方向に沿う水平線に対して４５度以上であり、
前記山型形状における前記採血針部分の側の斜面のなす角度は、前記長手方向に沿う水平線に対して４５度未満である、請求項１の採血用穿刺具。
【請求項３】
前記山型形状における前記採血針部分の側の斜面と前記山型形状における前記採血針部分とは反対側の斜面との間でなす角度が鋭角である、請求項１又は２の採血用穿刺具。
【請求項４】
長手状の持ち手部分と、該持ち手部分の長手方向の一端部に形成された採血針部分とからなる採血用穿刺具であって、
前記持ち手部分の一つの面には、長手方向に複数の凹凸が形成され、前記複数の凹凸は、平面で見て略Ｖ字形又は楔形若しくは略Ｕ字に湾曲した形状を成しており、それぞれの略Ｖ字形又は楔形若しくは略Ｕ字に湾曲した形状の突端が前記採血針部分の方向を指向していることを特徴とする採血用穿刺具。
【請求項５】
前記持ち手部分に形成された前記複数の凹凸は、長手方向に非対称的な傾斜の山型形状断面を持ち、この山型形状において前記採血針部分とは反対側の斜面が前記採血針部分の側の斜面よりも急峻となっていることを特徴とする請求項４の採血用穿刺具。
【発明の詳細な説明】
【技術分野】
【０００１】
本発明は、診断あるいは検査等の目的で少量の血液を採取するために使用される採血用穿刺具（ランセット）に関する。
【背景技術】
【０００２】
従来より、診断あるいは検査等の目的のために微量の血液を採血する場合、医師、看護士等、施術者の手に小型のランセットを把持し、その針先（刃先）を、患者等、被施術者の耳たぶや指頭等、所要部位に穿刺することで採血が行われている。下記特許文献１には、そのようなランセット（採血用穿刺具）の一例が示されている。そのような従来のランセットは、長手状の持ち手部分と、該持ち手部分の長手方向の一端部に形成された採血針部分とからなり、持ち手部分の一面において長手方向に複数の凹凸パターンが形成されている。施術者が持ち手部分を指先で持ってランセットを操作するとき、持ち手部分を持つ手の親指が凹凸パターンに掛かるので、フィット感が得られるという利点がある。このような従来のランセットにおいては、前記凹凸パターンは、丸みを帯びた山形（若しくは台形）を成しており、山（若しくは台形）のスロープの傾斜度合いは、採血針部分寄りの箇所とその反対側の箇所とでは、同等であった。また、施術者が持ち手部分を指先で持って採血操作するときの作業性を向上させることについては配慮されていない。
【先行技術文献】
【特許文献】
【０００３】
【特許文献１】実開昭５１−１６４８６号公報
【発明の概要】
【発明が解決しようとする課題】
【０００４】
本発明は、施術者が持ち手部分を指先で持って採血操作するときの作業性を向上させる工夫を施した採血用穿刺具（ランセット）を提供しようとするものである。
【課題を解決するための手段】
【０００５】
本発明に係る採血用穿刺具は、長手状の持ち手部分と、該持ち手部分の長手方向の一端部に形成された採血針部分とからなる採血用穿刺具であって、前記持ち手部分の一つの面には、長手方向に非対称的な傾斜の山型形状断面を持つ複数の凹凸が形成され、この山型形状において前記採血針部分とは反対側の斜面が前記採血針部分の側の斜面よりも急峻となっていることを特徴とする。
【０００６】
本発明によれば、持ち手部分に形成された長手方向に非対称的な傾斜の山型形状断面を持つ複数の凹凸において、前記採血針部分とは反対側の斜面が前記採血針部分の側の斜面よりも急峻となっているので、施術者が持ち手部分を指先で持って採血針部分の方向に押す操作を行うとき、採血針部分とは反対側の急峻な斜面に親指の腹が引掛かるので、針先が被施術者の皮膚に触れて採血するときの持ち手部分に対する指の掛かり具合がよく、滑りにくく、かつ、指先の力をコントロールし易くなり、操作性が向上する。また、採血針部分の側の斜面は相対的に緩い傾きとなるので、指にスムーズに若しくは柔らかくフィットし易くなり、良好なフィット感を確保することができる。こうして、操作性の向上と良好なフィット感を両立させた採血用穿刺具（ランセット）を提供することができる。
【０００７】
本発明の別の観点に係る採血用穿刺具は、長手状の持ち手部分と、該持ち手部分の長手方向の一端部に形成された採血針部分とからなる採血用穿刺具であって、前記持ち手部分の一つの面には、長手方向に複数の凹凸が形成され、前記複数の凹凸は、平面で見て略Ｖ字形又は楔形若しくは略Ｕ字に湾曲した形状を成しており、それぞれの略Ｖ字形又は楔形若しくは略Ｕ字に湾曲した形状の突端が前記採血針部分の方向を指向していることを特徴とする。このような緩いＶ字形又は楔形若しくは略Ｕ字に湾曲した形状の複数の凹凸の連なりは、持ち手部分を握った施術者の指（例えば親指）が、採血針部分の方向に動いて採血操作を行うとき、該緩いＶ字形又は楔形若しくは略Ｕ字に湾曲した形状の凹み部分（つまり、採血針部分の方を指向している突端の反対側）に施術者の指（例えば親指）が掛り易いので、被施術者の皮膚に採血針部分を刺す際に微妙なコントロールがし易いものとなり、操作性が向上し、かつ、良好なフィット感が得られる。
【図面の簡単な説明】
【０００８】
【図１】本発明の一実施例に係る採血用穿刺具の平面図。
【図２】同実施例に係る採血用穿刺具の側面図。
【図３】図1のＡ−Ａ’線矢視縦断面の端面図。
【図４】同実施例に係る採血用穿刺具における山型形状断面を持つ凹凸を拡大して示す側面図。
【図５】図1のＢ−Ｂ’線矢視横断面の拡大図。
【図６】図1のＣ−Ｃ’線矢視横断面の拡大図。
【図７】１つの山型形状（凹凸）における採血針部分の斜面及びその反対側の斜面の緩／急度合いの一例を拡大して示す側面図。
【図８】採血操作時の施術者の指先の動きとの関連を示す拡大側面図。
【図９】山型形状（凹凸）の頂部の変形例を示す拡大側面図。
【図１０】山型形状（凹凸）の斜面の輪郭の変形例を示す拡大側面図。
【図１１】本発明の別の実施例に係る採血用穿刺具の平面図。
【図１２】持ち手部分の一平面において形成される複数の凹凸の配置の種々のパターンを概略的に示す平面略図。
【図１３】本発明のさらに別の実施例に係る採血用穿刺具の平面図。
【図１４】本発明のさらなる実施例に係る採血用穿刺具の平面図。
【図１５】本発明の他の実施例に係る採血用穿刺具の平面図。
【図１６】本発明のさらに他の実施例に係る採血用穿刺具を示し、（ａ）は平面図、（ｂ）は長手方向に沿う中央縦断面の部分的な拡大端面図。
【図１７】採血針部分の配置の変形例を示す部分平面略図。
【発明を実施するための形態】
【０００９】
図１〜図６に示す実施例において、採血用穿刺具（ランセット）１は、長手状の持ち手部分２と、該持ち手部分２の長手方向の一端部に形成された採血針部分３とからなる。この採血用穿刺具（ランセット）１は、一例として、ステンレススチールのような金属の薄板をプレス加工することで所定の形状に成形されてなるものである。持ち手部分２の一つの面（図１に見える平面）には、図２あるいは図３に示すように、長手方向に非対称的な傾斜の山型形状断面を持つ複数の凹凸１１が形成され、この山型形状において採血針部分３とは反対側の斜面１１ａが採血針部分３の側の斜面１１ｂよりも急峻となっている。詳しくは、図４に示すように、１つの山型形状（つまり、凹凸１１）は、採血針部分３とは反対側の相対的に急峻な斜面１１ａと、採血針部分３の側の相対的に緩い斜面１１ｂと、幅狭のフラットな頂部１１ｃと、幅狭のフラットな（若しくは溝状の）底部１１ｄとを含む。図５は、１つの山型形状（つまり、凹凸１１）を頂部１１ｃの部分で切断した横断面を示し、図６は、１つの山型形状（つまり、凹凸１１）を底部１１ｄの部分で切断した横断面を示す。この複数の凹凸１１を特徴づける非対称的な傾斜の山型形状断面とは、換言すると、ほぼ鋸歯形状に類した形状と言える。
【００１０】
１つの山型形状（つまり、凹凸１１）における斜面１１ａ，１１ｂの緩／急度合いの一例を、さらに拡大して、図７により説明する。図７において、角度αは、１つの山型形状（凹凸１１）における前記採血針部分３とは反対側の斜面１１ａが前記長手方向に沿う水平線Ｈに対してなす角度を示し、角度βは、１つの山型形状（凹凸１１）における前記採血針部分３の側の斜面１１ｂが前記水平線Ｈに対してなす角度を示す。本発明においては、α＞βであることを特徴とする。これに限定されないが、好ましい実施例において、角度αは４５度以上であり、角度βは４５度未満である。また、これに限定されないが、好ましい実施例において、１つの山型形状（凹凸１１）における採血針部分３の側の斜面１１ｂと採血針部分３とは反対側の斜面１１ａとの間でなす角度γは鋭角（９０度以下又は未満）であってよい。
【００１１】
一実施例に係る採血用穿刺具（ランセット）１は、上記のように構成されているので、図８に示すように施術者が持ち手部分２を指先で持って採血針部分３の方向Ｘに押す操作を行うとき、採血針部分３とは反対側の急峻な斜面１１ａに施術者の指（典型的には親指）の腹２０が引掛かるので、針先が被施術者の皮膚に触れて採血するときの指の掛かり具合がよく、滑りにくく、かつ、指先の力をコントロールし易いものとなり、操作性が向上する。また、採血針部分３の側の斜面１１ｂは相対的に緩い傾きとなるので、指にスムーズに若しくは柔らかくフィットするものとなり、良好なフィット感を確保することができる。こうして、操作性の向上と良好なフィット感を両立させた採血用穿刺具（ランセット）１が提供される。
【００１２】
上記実施例では、山型形状（凹凸１１）の頂部１１ｃは幅狭のフラットに形成されているが、これに限らない。例えば、図９（ａ）に示すように、山型形状（凹凸１１）の頂部は、丸みをもたせた頂部１１ｃ’であってもよい。あるいは、図９（ｂ）に示すように、山型形状（凹凸１１）の頂部は、角度を成した頂部１１ｃ”であってもよい。
【００１３】
また、上記実施例では、山型形状（凹凸１１）における採血針部分３の側の斜面１１ｂ及びその反対側の斜面１１ａの両方が直線的（又は略直線的）であるが、これに限らない。例えば、図１０に示すように、山型形状（凹凸１１）における採血針部分３の側の斜面１１ｂ及びその反対側の斜面１１ａの両方（若しくは少なくとも一方）が、略曲線的な輪郭を含んでいてもよい。このように山型形状（凹凸１１）の斜面１１ａ及び／又は１１ｂが略曲線的である場合、各斜面の前記水平線Ｈに対してなす角度α、βは、該斜面１１ａ、１１ｂの平均的な傾きを示す直線状の傾きラインＣ、Ｄを想定して定めるようにしてよい。
【００１４】
また、図１の実施例では、長手方向に非対称的な傾斜の山型形状断面を持つ複数の凹凸１１の横幅（長手方向Ｘに直角をなす向きの幅）が、持ち手部分２の中央線に沿って、幾分幅狭に形成されているが、これに限らない。例えば、図１１に示すように、長手方向に非対称的な傾斜の山型形状断面を持つ複数の凹凸１１の横幅（長手方向Ｘに直角をなす向きの幅）が、持ち手部分２の中央線に沿って、幅広に形成されていてもよい。変形例として、長手方向に非対称的な傾斜の山型形状断面を持つ複数の凹凸１１の横幅（長手方向Ｘに直角をなす向きの幅）が、長手方向に沿って変化するようになっていてもよい。例えば、持ち手部分２を持った施術者の親指が置かれ易い位置又は範囲（例えば、持ち手部分２の中央部分寄りの位置又は範囲）で幅広とされ、そこから離れるにつれて徐々に幅狭になるように形成してもよい。
【００１５】
なお、図１１では、長手方向に非対称的な傾斜の山型形状断面を持つ幅広の複数の凹凸１１の長手方向の範囲が、持ち手部分２の中央寄りの所定部分に配置されている。しかし、これに限らず、図１１のような長手方向に非対称的な傾斜の山型形状断面を持つ幅広の複数の凹凸１１の長手方向の範囲が、持ち手部分２の長手方向のより長い範囲で、例えば、持ち手部分２の長手方向Ｘのほぼ全域にわたって、設けられてもよい。同様に、前記図１では、長手方向に非対称的な傾斜の山型形状断面を持つ幅狭の複数の凹凸１１の長手方向の範囲が、持ち手部分２の長手方向に沿って長い範囲にわたって配置されているが、しかし、これに限らず、図１のような長手方向に非対称的な傾斜の山型形状断面を持つ幅狭の複数の凹凸１１の長手方向の範囲が、持ち手部分２の中央寄りの所定部分（比較的短い範囲）で設けられてもよい。
【００１６】
また、長手方向に非対称的な傾斜の山型形状断面を持つ複数の凹凸１１の配置は、図１あるいは図１１に示すような持ち手部分２の中央線に沿う配置に限らず、任意のパターンで配置してよい。図１２は、持ち手部分２の一平面において形成される複数の凹凸１１の配置のいくつかのパターンを概略的に示す図である。図において、網目模様で示した範囲が、本発明に従う長手方向Ｘに非対称的な傾斜の山型形状断面を持つ複数の凹凸１１（勿論、上述したように、この山型形状において採血針部分３とは反対側の斜面１１ａが採血針部分３の側の斜面１１ｂよりも急峻となっているもの）の配置を概略的に示している。例えば、図１２（ａ）の例では、持ち手部分２の一平面のほぼ全体にわたって、本発明に従う長手方向Ｘに非対称的な傾斜の山型形状断面を持つ複数の凹凸１１が配置される。図１２（ｂ）の例では、持ち手部分２の一平面の片側（図で上側）寄りに、本発明に従う長手方向Ｘに非対称的な傾斜の山型形状断面を持つ複数の凹凸１１が配置され、図１２（ｃ）の例では、持ち手部分２の一平面の反対の片側（図で下側）寄りに、本発明に従う長手方向Ｘに非対称的な傾斜の山型形状断面を持つ複数の凹凸１１が配置される。図１２（ｄ）の例では、持ち手部分２の一平面において２列で（図で上側と下側に）、本発明に従う長手方向Ｘに非対称的な傾斜の山型形状断面を持つ複数の凹凸１１が配置される。勿論、２列に限らず、２列以上で配置してもよい。また、図１２（ｅ）の例では、凹凸１１の横幅（長手方向Ｘに直角をなす向きの幅）が異なる２種のパターン１１−１，１１−２が持ち手部分２の平面の適宜箇所に配置される。例えば、図１２（ｅ）において、パターン１１−１は凹凸１１の横幅が前記図１１に示したような幅広のものであり、パターン１１−２は凹凸１１の横幅が前記図１に示したような幅狭のものである。勿論、２種のパターンに限らず、凹凸１１の横幅の異なる２種以上のパターンを配置してもよい。なお、図１２（ｅ）の変形例として、持ち手部分２の重要な部分（典型的には中央寄りの領域）に配置されたパターン１１−１を本発明に従って異なる傾斜の斜面１１ａ、１１ｂを持つ構造とし、他のパターン１１−２は従来型の構造（つまり、複数の凹凸をなす各山（若しくは台形）のスロープの傾斜度合いが採血針部分寄りの箇所とその反対側の箇所とで同等であるもの）であってもよい。
【００１７】
また、上記実施例では、前記持ち手部分２に設ける長手方向Ｘに非対称的な傾斜の山型形状断面を持つ複数の凹凸１１の並び方向が長手方向Ｘに一致している（すなわち平行となっている）が、これに限らず、長手方向Ｘに完全に一致することなく、適宜に斜めになっていてもよい。図１３は、そのような配列を例示するもので、（ａ）及び（ｂ）共に、山型形状断面を持つ複数の凹凸１１の並び方向Ｓは、長手方向Ｘに対して幾分斜めの角度を成している。長手方向Ｘに対して並び方向Ｓが成す角度は、それほど大きいものではなく、好ましくは４５度未満、さらに好ましくは３０度未満程度であってよい。図１３（ａ）の例では、複数の凹凸１１の各頂部１１ｃが延びる方向が長手方向Ｘに対して略直角となっている。これに対して、図１３（ｂ）の例では、複数の凹凸１１の各頂部１１ｃが延びる方向は、並び方向Ｓに対して略直角となっている。図１３（ａ）及び（ｂ）のどちらの配列も、持ち手部分２の一面には、長手方向Ｘに非対称的な傾斜の山型形状断面を持つ複数の凹凸１１が形成され、この山型形状において前記採血針部分３とは反対側の斜面１１ａが前記採血針部分３の側の斜面１１ｂよりも急峻となっている、という本発明の技術範囲に属する。なお、図１３の例では、並び方向Ｓの向きは、採血針部分３に近づくにつれて下がるが（図で下向き）、これに限らず、採血針部分３に近づくにつれて上がる（図で上向き）ようになっていてもよい。
【００１８】
図１４は、非対称的な傾斜の山型形状断面を持つ複数の凹凸１１の配列の変形例を示す平面図である。この変形例においては、前記持ち手部分２に設ける長手方向Ｘに非対称的な傾斜の山型形状断面を持つ複数の凹凸１１の並び方向は、図1、図１１等と同様に、長手方向Ｘに一致している（すなわち平行となっている）が、複数の凹凸１１の各頂部１１ｃが延びる方向は、その並び方向つまり長手方向Ｘに対して直角の方向（図中、Ｙ方向）ではなく、矢印Ｔで示すように、幾分斜めになっている。図１４のＡ−Ａ’線矢視縦断面は、概ね、前記図３と同様に表される。すなわち、前記図３及び図４等に示されるものと同様に、図１４の採血用穿刺具（ランセット）１においても、１つの山型形状（つまり、凹凸１１）は、採血針部分３とは反対側の相対的に急峻な斜面１１ａと採血針部分３の側の相対的に緩い斜面１１ｂとを含むという、本発明の特徴を有している。複数の凹凸１１の並び方向つまり長手方向Ｘに直角の方向Ｙに対して、各頂部１１ｃが延びる方向Ｔが成す角度は、それほど大きいものではなく、好ましくは４５度未満、さらに好ましくは３０度未満程度であってよい。
【００１９】
図１５は、非対称的な傾斜の山型形状断面を持つ複数の凹凸１１の配列の変形例を示す平面図である。この変形例においては、凹凸１１は、平面視において、大略、緩いＶ字形（若しくは楔形）を成しており、緩いＶ字（若しくは楔）の突端が採血針部分３の方を指向している。図１５のＡ−Ａ’線矢視縦断面は、概ね、前記図３と同様に表される。すなわち、前記図３及び図４等に示されるものと同様に、図１５の採血用穿刺具（ランセット）１においても、１つの山型形状（つまり、凹凸１１）は、採血針部分３とは反対側の相対的に急峻な斜面１１ａと採血針部分３の側の相対的に緩い斜面１１ｂとを含むという、本発明の特徴を有している。特に、図１５の実施例にみられるような緩いＶ字形（若しくは楔形）の複数の凹凸１１の連なりは、持ち手部分２を握った施術者の指（例えば親指）が、採血針部分３の方向に動いて採血操作を行うとき、該緩いＶ字形（若しくは楔形）の凹み部分（つまり、採血針部分３の方を指向している突端の反対側）に施術者の指（例えば親指）が掛かり易くなるので、操作性が向上し、かつ、良好なフィット感が得られる。従って、図１５の変形例によれば、採血針部分３とは反対側の相対的に急峻な斜面１１ａと採血針部分３の側の相対的に緩い斜面１１ｂによる操作性及びフィット感の向上と相まって、より一層の操作性及びフィット感の向上を図ることができる。なお、図１５において、緩いＶ字（若しくは楔）の突端に角度をもたせず、適宜に丸めてもよい。つまり、明確な緩いＶ字（若しくは楔）形に限らず、略Ｕ字に湾曲した形状（丸みのある形状）としてもよい。
【００２０】
図１５に示されたような、複数の凹凸１１が平面で見て略Ｖ字形又は楔形若しくは略Ｕ字に湾曲した形状を成す構造例は、１つの山型形状（つまり、凹凸１１）が採血針部分３とは反対側の相対的に急峻な斜面１１ａと採血針部分３の側の相対的に緩い斜面１１ｂとを含むという特徴を持たない構造において適用しても有利な効果を奏する。図１６はそのような実施例を示し、（ａ）は平面図、（ｂ）は長手方向Ｘに沿う中央縦断面の部分的な拡大端面図である。図１６に示す採血用穿刺具（ランセット）１は、長手状の持ち手部分２と、該持ち手部分２の長手方向の一端部に形成された採血針部分３とからなり、前記持ち手部分２の一面には、長手方向に複数の凹凸２１が形成され、前記複数の凹凸２１は、平面で見て略Ｖ字形又は楔形（若しくは略Ｕ字に湾曲した形状でもよい）を成しており、それぞれの略Ｖ字形又は楔形（若しくは略Ｕ字に湾曲した形状）の突端が前記採血針部分３の方向を指向している。複数の凹凸２１をなす各山（若しくは台形）は、採血針部分３の反対側の斜面（スロープ）２１ａと、採血針部分３寄りの斜面（スロープ）２１ｂと、頂部２１ｃと、底部２１ｄを含み、両斜面（スロープ）２１ａ、２１ｂの傾き度合いは、図１６（ｂ）に示すように略同等であってよい。つまり、持ち手部分２に形成された複数の凹凸２１は、長手方向Ｘに対称的な傾斜（略同等の斜面２１ａ、２１ｂ）の山型形状断面を持つ。勿論、図９、図１０に示したような頂部１１ｃの変形は、図１６の実施例の頂部２１ｃに対しても適用可能であり、その他本明細書で述べる種々の変形が図１６の実施例に対しても適宜適用され得る。
【００２１】
図１６の実施例に示されたような緩いＶ字形又は楔形（若しくは略Ｕ字に湾曲した形状）の複数の凹凸２１の連なりは、持ち手部分２を握った施術者の指（例えば親指）が、採血針部分３の方向に動いて採血操作を行うとき、該緩いＶ字形又は楔形（若しくは略Ｕ字に湾曲した形状）の凹み部分（つまり、採血針部分３の方を指向している突端の反対側）に施術者の指（例えば親指）が掛かり易くなるので、被施術者の皮膚に採血針部分３を刺す際に微妙なコントロールがし易いものとなり、操作性が向上し、かつ、良好なフィット感が得られる。なお、この種の採血用穿刺具（ランセット）１の一般的サイズと施術者の指（例えば親指）へのフィット感を考慮すると、持ち手部分２の横幅方向（Ｙ方向）には、図１６（ａ）に示すように１つの略Ｖ字形又は楔形（若しくは略Ｕ字に湾曲した形状）だけが存在しているのが好ましい。しかし、これに限らず、持ち手部分２の横幅方向（Ｙ方向）に、少なくとも１つの略Ｖ字形又は楔形（若しくは略Ｕ字に湾曲した形状）が存在していればよい。
【００２２】
上記各実施例においては、採血針部分３が持ち手部分２の長手方向の一端部の中央部に形成されているが、これに限らない。例えば、図１７（ａ）に示すように、持ち手部分２の長手方向の一端部の上方寄りに採血針部分３を形成してもよいし、あるいは、図１７（ｂ）に示すように、持ち手部分２の長手方向の一端部の下方寄りに採血針部分３を形成してもよい。また、採血針部分３の針（刃）の形状は、図示したものに限らず、任意の針（刃）形状を採用してよい。
【００２３】
上記各実施例においては、採血用穿刺具（ランセット）１は、ステンレススチールのような金属の薄板をプレス加工することで所定の形状に成形されてなるものであるとしたが。これに限らない。例えば、持ち手部分２をプラスチック等で形成し、この持ち手部分２に金属製の採血針部分３を取り付ける構造としてもよい。この取り付け構造は、採血針部分３を固定又は半固定する構造でもよいし、着脱自在とする構造であってもよい。
【００２４】
以上説明した実施例に係る採血用穿刺具の特徴のいくつかを要約して列挙すると次のとおりである。
（１）長手状の持ち手部分と、該持ち手部分の長手方向の一端部に形成された採血針部分とからなる採血用穿刺具であって、前記持ち手部分の一つの面には、長手方向に非対称的な傾斜の山型形状断面を持つ複数の凹凸が形成され、この山型形状において前記採血針部分とは反対側の斜面が前記採血針部分の側の斜面よりも急峻となっていることを特徴とする採血用穿刺具。
（２）前記山型形状における前記採血針部分とは反対側の斜面のなす角度は、前記長手方向に沿う水平線に対して４５度以上であり、前記山型形状における前記採血針部分の側の斜面のなす角度は、前記長手方向に沿う水平線に対して４５度未満である、上記（１）に記載の採血用穿刺具。
（３）前記山型形状における前記採血針部分の側の斜面と前記山型形状における前記採血針部分とは反対側の斜面との間でなす角度が鋭角である、上記（１）又は（２）に記載の採血用穿刺具。
（４）前記山型形状の頂部は幅狭のフラットに形成されていることを特徴とする、上記（１）乃至（３）のいずれかに記載の採血用穿刺具。
（５）前記山型形状の頂部には丸みをもたせてあることを特徴とする、上記（１）乃至（３）のいずれかに記載の採血用穿刺具。
（６）前記山型形状の頂部は角度を成していることを特徴とする、上記（１）乃至（３）のいずれかに記載の採血用穿刺具。
（７）前記山型形状における前記採血針部分の側の斜面及び前記山型形状における前記採血針部分とは反対側の斜面の少なくとも一方が、略直線的であることを特徴とする、上記（１）乃至（６）のいずれかに記載の採血用穿刺具。
（８）前記山型形状における前記採血針部分の側の斜面及び前記山型形状における前記採血針部分とは反対側の斜面の少なくとも一方が、略曲線的な輪郭を含むことを特徴とする、上記（１）乃至（６）のいずれかに記載の採血用穿刺具。
（９）前記複数の凹凸は、平面で見て略Ｖ字形又は楔形若しくは略Ｕ字に湾曲した形状を成しており、それぞれの略Ｖ字形又は楔形若しくは略Ｕ字に湾曲した形状の突端が前記採血針部分の方向を指向していることを特徴とする、上記（１）乃至（８）のいずれかに記載の採血用穿刺具。
（１０）長手状の持ち手部分と、該持ち手部分の長手方向の一端部に形成された採血針部分とからなる採血用穿刺具であって、前記持ち手部分の一つの面には、長手方向に複数の凹凸が形成され、前記複数の凹凸は、平面で見て略Ｖ字形又は楔形若しくは略Ｕ字に湾曲した形状を成しており、それぞれの略Ｖ字形又は楔形若しくは略Ｕ字に湾曲した形状の突端が前記採血針部分の方向を指向していることを特徴とする採血用穿刺具。
（１１）前記持ち手部分に形成された前記複数の凹凸は、長手方向に非対称的な傾斜の山型形状断面を持ち、この山型形状において前記採血針部分とは反対側の斜面が前記採血針部分の側の斜面よりも急峻となっていることを特徴とする上記（１０）に記載の採血用穿刺具。
（１２）前記持ち手部分に形成された前記複数の凹凸は、長手方向に対称的な傾斜の山型形状断面を持つことを特徴とする上記（１０）に記載の採血用穿刺具。
【符号の説明】
【００２５】
１  採血用穿刺具（ランセット）
２  持ち手部分
３  採血針部分
１１  非対称的な傾斜の山型形状断面を持つ複数の凹凸
１１ａ  採血針部分とは反対側の斜面
１１ｂ  採血針部分の側の斜面
１１ｃ  頂部
１１ｄ  底部
２０  施術者の指の腹
２１  平面で見て略Ｖ字形又は楔形若しくは略Ｕ字に湾曲した形状を成した複数の凹凸
２１ａ  採血針部分とは反対側の斜面
２１ｂ  採血針部分の側の斜面
２１ｃ  頂部
２１ｄ  底部
【図１】
2020178856.tif 000003
【図２】
2020178856.tif 000004
【図３】
2020178856.tif 000005
【図４】
2020178856.tif 000006
【図５】
2020178856.tif 000007
【図６】
2020178856.tif 000008
【図７】
2020178856.tif 000009
【図８】
2020178856.tif 000010
【図９】
2020178856.tif 000011
【図１０】
2020178856.tif 000012
【図１１】
2020178856.tif 000013
【図１２】
2020178856.tif 000014
【図１３】
2020178856.tif 000015
【図１４】
2020178856.tif 000016
【図１５】
2020178856.tif 000017
【図１６】
2020178856.tif 000018
【図１７】
2020178856.tif 000019